(57)【特許請求の範囲】
【請求項１】
空調された空気が流れる空気流路と、
前記空気流路の端部に位置し、空調された気流を吹き出すための吹出口と、
前記吹出口の前方に配置され且つ水平又は斜め上方に延びる第１面、前記第１面の上方に配置され且つ後方へ行くほど上方になるように形成された面を有する第２面、及び前記第１面と前記第２面とを繋ぐ接続部を有するパネルとを備えた室内機であって、
前記パネルは、
前記吹出口から吹き出された吹出気流を前記第１面から剥離する第１剥離部と、
前記第２面に沿って下方に流れる室内空気を前記第２面から剥離する第２剥離部とを有し、
前記接続部は、前記第１剥離部と前記第２剥離部とを繋ぐように構成され、
前記第２面が、下方に行くにつれて前方に配置されるように湾曲する曲面を有し、前記曲面の下端部が前記第２剥離部であって、
前記吹出口の前記前方側の端部から前記第１面の前記吹出口とは反対側の端部までの長さをａ、前記室内機の前後方向に沿う長さをｂとした際のａ／ｂは、０．２以上、且つ、０．４以下であり、前記第１面の後方側の端部と前方側の端部とを結ぶ線と水平面とのなす角度θ１は、０ｄｅｇ以上、且つ、２０ｄｅｇ以下であり、前記第１面の後方側の端部と前方側の端部とを結ぶ線と前記空気流路を画定する上壁の前記吹出口側の端部における接平面とのなす角度θ２は、２７ｄｅｇ以上、且つ、４７ｄｅｇ以下であることを特徴とする室内機。
【請求項２】
前記第１面は下に凸の曲面であり、その曲率半径Ｒｄは、４００ｍｍ以上、且つ、６００ｍｍ以下であることを特徴とする請求項１に記載の室内機。 
【発明の詳細な説明】
【技術分野】
【０００１】
本発明は、空調された気流を吹き出すための吹出口を備えた室内機に関するものである。
【背景技術】
【０００２】
吸込口から吸い込んだ空気を空気調和して吹出口から吹き出す室内機であって、吹出口に臨む空気流通流路の上壁を成しており、前方へ行くほど上方となるように傾斜した案内面を有する室内機が知られている（例えば、特許文献１参照）。かかる室内機では、吹出口から吹き出される空気がコアンダ効果により案内面に沿って上方に向かう。
【先行技術文献】
【特許文献】
【０００３】
【特許文献１】特開２００４−１０１１２８号公報
【発明の概要】
【発明が解決しようとする課題】
【０００４】
上述のような室内機においては、案内面の長さ（吹出口からの気流の流れ方向に沿う長さ）が短すぎると、コアンダ効果を十分に得ることができない。一方、案内面の長さが長すぎると、製品サイズが大きくなり、使用時の圧迫感や輸送の困難性が生じる。
【０００５】
そこで、本発明は、上記のような課題を解決するためになされたものであり、吹出口からの吹出気流が面に沿って流れるようにするコアンダ効果を十分に得つつ、製品サイズの大型化を抑制できる室内機を提供することを目的とする。
【課題を解決するための手段】
【０００６】
第１の発明に係る室内機は、空調された空気が流れる空気流路と、前記空気流路の端部に位置し、空調された気流を吹き出すための吹出口と、
前記吹出口の前方に配置され且つ水平又は斜め上方に延びる第１面、前記第１面の上方に配置され且つ後方へ行くほど上方になるように形成された面を有する第２面、及び前記第１面と前記第２面とを繋ぐ接続部を有するパネルとを備えた室内機であって、前記パネルは、前記吹出口から吹き出された吹出気流を前記第１面から剥離する第１剥離部と、前記第２面に沿って下方に流れる室内空気を前記第２面から剥離する第２剥離部とを有し、前記接続部は、前記第１剥離部と前記第２剥離部とを繋ぐように構成され、前記第２面が、下方に行くにつれて前方に配置されるように湾曲する曲面を有し、前記曲面の下端部が前記第２剥離部であって、前記吹出口の前記前方側の端部から前記第１面の前記吹出口とは反対側の端部までの長さをａ、前記室内機の前後方向に沿う長さをｂとした際のａ／ｂは、０．２以上、且つ、０．４以下であり、前記第１面の後方側の端部と前方側の端部とを結ぶ線と水平面とのなす角度θ１は、０ｄｅｇ以上、且つ、２０ｄｅｇ以下であり、前記第１面の後方側の端部と前方側の端部とを結ぶ線と前記空気流路を画定する上壁の前記吹出口側の端部における接平面とのなす角度θ２は、２７ｄｅｇ以上、且つ、４７ｄｅｇ以下であることを特徴とする。
【０００７】
この室内機では、吹出口から吹き出された気流を第１面に沿わせて前方又は上方に向けるコアンダ効果を十分に得つつ、製品サイズの大型化を抑制できる。
【０００８】
第２の発明に係る室内機は、第１の発明にかかる室内機において、前記第１面は下に凸の曲面であり、その曲率半径Ｒｄは、４００ｍｍ以上、且つ、６００ｍｍ以下であることを特徴とする。
【０００９】
この室内機では、吹出口から吹き出された気流を第１面に対してより確実に沿わせつつ、上方に向けることができる。
【発明の効果】
【００１０】
以上の説明に述べたように、本発明によれば、以下の効果が得られる。
【００１１】
第１の発明では、吹出口から吹き出された気流を第１面に沿わせて前方又は上方に向けるコアンダ効果を十分に得つつ、製品サイズの大型化を抑制できる。
【００１２】
第２の発明では、吹出口から吹き出された気流を第１面に対してより確実に沿わせつつ、上方に向けることができる。
【図面の簡単な説明】
【００１３】
【図１】本発明の実施形態にかかる室内機の斜視図であり、（ａ）は斜め上方から見た図、（ｂ）は斜め下方から見た図である。
【図２】図１の室内機の横断面図である。
【図３】図２に示す前面パネルの下端部の拡大図である。
【図４】室内機の前後方向の長さに対する吹出口の前端から第１面の前端までの長さの比率と、吹出気流の到達距離との関係を示すグラフである。
【図５】（ａ）は第１面の後方端と前方端とを結ぶ線と水平面とのなす角と、吹出気流の到達距離との関係を示すグラフであり、（ｂ）は第１面の後方端と前方端とを結ぶ線と気流の吹出方向とのなす角と、吹吹出気流の到達距離との関係を示すグラフである。
【発明を実施するための形態】
【００１４】
以下に、本発明の実施形態について、図１〜図３を参照しつつ説明する。
【００１５】
図１（ａ）、（ｂ）に示すように、本実施形態の室内機１は、全体として一方向に細長い形状を有しており、その長手方向が水平となるように室内の壁面に据え付けられるものである。室内機１は、図示しない室外機と共に空気調和機を構成しており、室内の冷暖房を行う。なお、以下の説明において、室内機１が取り付けられる壁から突出する方向を「前方」と称し、その反対の方向を「後方」と称する。また、室内機１の長手方向を単に「長手方向」と称する。
【００１６】
図２に示すように、室内機１は、ケーシング２、熱交換器３、室内ファン４、フィルタ５、及び２枚の水平羽根６ａ、６ｂを主に備えている。
【００１７】
ケーシング２は、略直方体のグリル２１と、グリル２１の前面を覆う前面パネル２２とを有する。ケーシング２の上面には、吸込口２１ａが形成されている。図１（ａ）に示すように、吸込口２１ａはグリル２１と前面パネル２２とに渡って形成されている。グリル２１の下面には吹出口２１ｂが形成されている。図１（ｂ）に示すように、吹出口２１ｂは、長手方向に長い矩形状の開口である。
【００１８】
熱交換器３、室内ファン４、及びフィルタ５は、グリル２１の内部に配置されている。室内ファン４は、長手方向に沿って延びており、吸込口２１ａを介してケーシング２内に空気を吸い込み、吹出口２１ｂからケーシング２内の空気が吹き出されるように構成されている。室内ファン４と吹出口２１ｂとの間には上壁２６ａと下壁２６ｂとによって画定される空気流路２６が形成されている。熱交換器３は、側面視において両端が下方に向かって屈曲した逆Ｖ字状に形成され、室内ファン４の上方と前方とを取り囲むように配置されている。熱交換器３では、通過する空気との間で熱交換が行われる。また、熱交換器３の上方及び前方にはフィルタ５が配置されている。フィルタ５は、熱交換器３に向かって流入してくる空気に含まれる塵埃を除去する。
【００１９】
２枚の水平羽根６ａ、６ｂは、吹出口２１ｂに配置されている。水平羽根６ａ、６ｂは、吹出口２１ｂから吹き出される空気流の上下方向の風向きを変更すると共に、吹出口２１ｂの開閉を行うために設けられている。水平羽根６ａ、６ｂは、それぞれ長手方向に長い矩形状の板部材である。水平羽根６ａは吹出口２１ｂ内の前側部分に配置され、水平羽根６ｂは吹出口２１ｂ内の後側部分に配置されている。
【００２０】
前面パネル２２は、上述のようにグリル２１の前面を覆うものであり、その上端部が吸込口２１ａの一部を構成しており、下端部が吹出口２１ｂの前端近傍に位置している。前面パネル２２は、前方を向く面であり、吸込口２１ａの前端近傍から前面パネル２２の下端部近傍まで下方に延びる正面２２ａを有している。前面パネル２２の下端部には、吹出口２１ｂの前方に配置されており、斜め上方に延びる第１面２３と、第１面２３の上方に配置されており、後方に行くほど上方になるように形成される第２面２４と、第１面２３と第２面２４とを繋ぐ平面状の接続部２５とが設けられている。第１面２３及び第２面２４は、下に凸の曲面であり、第１面２３の曲率半径Ｒｄは、５００ｍｍである。
【００２１】
図２において矢印で示すように、吹出口２１ｂから吹き出された吹出気流は第１面２３に沿って流れ、第１面２３の前端部において第１面２３から剥離する。すなわち、第１面２３の前端部は吹出口２１ｂからの吹出気流が前面パネル２２から剥離する剥離部２３ａとして機能する。また、前面パネル２２の正面２２ａ及び第２面２４に沿って下方に流れる室内空気は、第２面２４の下端部において第２面２４から剥離する。すなわち、第２面２４の下端部は室内空気が前面パネル２２から剥離する剥離部２４ａとして機能する。そして、接続部２５は、吹出気流の剥離部２３ａと室内空気の剥離部２４ａとを繋いでいる。
【００２２】
剥離部２３ａにおいて前面パネル２２から剥離した吹出気流と、剥離部２４ａにおいて前面パネル２２から剥離した室内空気とは、前面パネル２２の前方の前面パネルから離れた位置で混ざり合う。なお、接続部２５は、図２において破線で示す第１面２３の延長面と第２面の延長面との内側に配置されている。
【００２３】
ここで、図２に示すように、吹出口２１ｂの前方側の端部から第１面２３の吹出口２１ｂとは反対側の端部までの長さをａ、室内機１の前後方向に沿う長さをｂとした際のａ／ｂと、吹出口２１ｂから吹き出された気流の到達距離との関係を図４に示す。図４のグラフから分かるように、ａ／ｂの値が０．３５となるあたりまでは気流到達距離はａ／ｂの値の増加量に対してほぼ一定の割合で増加している。ａ／ｂの値が０．３５を超えたあたりからａ／ｂの値の増加量に対する気流到達距離の増加量は次第に少なくなる。すなわち、ａ／ｂの値をある程度まで大きくすることで吹出口２１ｂから吹き出された気流を第１面２３に沿わせて上方に向け、気流到達距離を伸ばすことができる。一方、ａ／ｂの値がある程度よりも大きくなると、気流到達距離はほとんど変わらなくなる。本実施形態においては、ａ／ｂ＝約０．３である。
【００２４】
また、図３に示すように、第１面２３の後方側の端部と前方側の端部とを結ぶ線Ｌと水平面とのなす角度をθ１とした際の、θ１と吹出口２１ｂから吹き出された気流の到達距
離との関係を図５（ａ）に示す。図５（ａ）のグラフから分かるように、気流到達距離はθ１＝１１ｄｅｇのあたりで最も大きくなる。本実施形態においては、θ１＝１０ｄｅｇである。さらに、図３に示すように、第１面２３の後方側の端部と前方側の端部とを結ぶ線Ｌと空気流路２６を画定する上壁２６ａの吹出口２１ｂ側の端部における接平面Ｐとのなす角度をθ２とした際の、θ２と吹出口２１ｂから吹き出された気流の到達距離との関係を図５（ｂ）に示す。図５（ｂ）のグラフから分かるように、気流到達距離はθ２＝３８ｄｅｇのあたりで最も大きくなる。本実施形態においては、θ２＝３７ｄｅｇである。
【００２５】
次に、室内機１の動作について説明する。
室内ファン４を駆動することにより、吸込口２１ａからケーシング２内に空気が吸い込まれる。ケーシング２内に吸い込まれた空気は、フィルタ５で塵埃の除去が行われた後、熱交換器３を通過して熱交換される。そして、熱交換器３において空調された空気は、室内ファン４を通過した後、空気流路２６内を流れて吹出口２１ｂから吹き出される。吹出口２１ｂから吹き出された吹出気流は、コアンダ効果により斜め上方に延びる第１面２３に沿って流れた後、第１面２３の端部の剥離部２３ａで第１面２３（前面パネル２２）から剥離する。前面パネル２２から剥離した吹出気流は、剥離部２４ａにおいて第２面２４（前面パネル２２）から剥離した室内空気と前面パネル２２から離隔した位置で混ざり合った後、天井方向に向かう。
【００２６】
以上のように、本実施形態の室内機１では、前面パネル２２の下端部に、吹出口２１ｂの前方に配置されており斜め上方に延びる第１面２３と、第１面２３の上方に配置されており後方に行くほど上方になるように形成された第２面２４と、第１面２３と第２面２４とを繋ぐ接続部２５とが設けられており、吹出口２１ｂの前方側の端部から第１面２３の吹出口２１ｂとは反対側の端部までの長さをａ、室内機１の前後方向に沿う長さをｂとした際のａ／ｂは、約０．３であり、第１面２３の後方側の端部と前方側の端部とを結ぶ線Ｌと水平面とのなす角度θ１は、１０ｄｅｇであり、第１面２３の後方側の端部と前方側の端部とを結ぶ線Ｌと吹出口２１ｂに繋がる空気流路２６を画定する上壁２６ａの吹出口２１ｂ側の端部における接平面Ｐとのなす角度θ２は、３７ｄｅｇである。
したがって、吹出口２１ｂから吹き出された気流を第１面２３に沿わせて斜め上方に向けるコアンダ効果を十分に得つつ、製品サイズの大型化を抑制できる。
【００２７】
また、本実施形態の室内機１では、第１面２３は下に凸の曲面であり、その曲率半径Ｒｄは、５００ｍｍである。したがって、吹出口２１ｂから吹き出された気流を第１面２３に対してより確実に沿わせつつ、上方に向けることができる。
【００２８】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００２９】
例えば、上述の実施形態では、第１面２３が斜め上方に向いている場合について説明したがこれには限定されない。すなわち、第１面２３は水平に延びる面であってもよい。
【００３０】
さらに、上述の実施形態では、吹出口２１ｂの前方側の端部から第１面２３の吹出口２１ｂとは反対側の端部までの長さをａ、室内機１の前後方向に沿う長さをｂとした際のａ／ｂは、約０．３であり、第１面２３の後方側の端部と前方側の端部とを結ぶ線Ｌと水平面とのなす角度θ１は、１０ｄｅｇであり、第１面２３の後方側の端部と前方側の端部とを結ぶ線Ｌと吹出口２１ｂに繋がる空気流路２６を画定する上壁２６ａの吹出口２１ｂ側の端部における接平面Ｐとのなす角度θ２は、３７ｄｅｇである場合について説明したが、これには限定されない。ａ／ｂは、０．２以上、且つ、０．４以下であればよい。また、角度θ１は０ｄｅｇ以上、且つ、２０ｄｅｇ以下であればよく、角度θ２は２７ｄｅｇ以上、且つ、４７ｄｅｇ以下であればよい。
【００３１】
また、上述の実施形態では、第１面２３は下に凸の曲面であり、その曲率半径Ｒｄは、５００ｍｍである場合について説明したが、これには限定されない。第１面２３の曲率半径Ｒｄは、４００ｍｍ以上、且つ、６００ｍｍ以下であることが好ましい。さらに、第１面２３は平面であってもよい。
【００３２】
加えて、上述の実施形態では、第１面２３、第２面２４、及び接続部２５が前面パネル２２に設けられている場合について説明したが、これには限定されない。これらは、前面パネル２２以外の部材に設けられていてもよい。また、第１面２３、第２面２４、及び接続部２５は、同一の部材に設けられておらず、互いに別の部材に設けられていてもよい。
【産業上の利用可能性】
【００３３】
本発明を利用すれば、吹出口からの吹出気流が面に沿って流れるようにするコアンダ効果を十分に得つつ、製品サイズの大型化を抑制できる。
【符号の説明】
【００３４】
１  室内機
２１ｂ  吹出口
２３  第１面
２４  第２面
２５  接続部
【図１】
0006314950.tif 000002
【図２】
0006314950.tif 000003
【図３】
0006314950.tif 000004
【図４】
0006314950.tif 000005
【図５】
0006314950.tif 000006